(57)【要約】【課題】【解決手段】  パンツ状吸収性衛生物品（５２）用の弾性サイドパネル付き閉鎖部（１０）であって、閉鎖部（１０）は、少なくとも部分的に弾性材料（１６）から形成される長尺状部材（１２）を横断方向に折り曲げて、中央横断面（２６）に対して対称となる２つの部分（２２、２４）を形成することによって得られており、部分（２２、２４）はそれぞれ、一の吸収性衛生物品（５２）の一のサイドパネル（７６）を形成し得るような閉鎖部（１０）は、中央横断面（２６）を超えて連続して延伸する一の第１の分割部分（２８）と、中央横断面（２６）から遠位に位置している第１の折り曲げ部分（３２）で、第１の分割部分（２８）の互いに対向し合う端部に接続している２つの第２の分割部分（３０）と、中央横断面（２６）に対して近位に位置しているが離間している第２の折り曲げ部分（４２）で、第２の分割部分（３０）の端部に接続している２つの第３の分割部分（４０）と、中央横断面（２６）から遠位な位置で、２つの第３の分割部分（４０）の端部に接続されている２つの第４の分割部分（４４）と、中央横断面（２６）に対して近位に位置しているが離間している第３の折り曲げ部分（４８）で、第４の分割部分（４４）の端部に接続している２つの第５の分割部分（４６）とを備え、第１の分割部分（２８）と２つの第２の分割部分（３０）は、互いに永久的に固定された対向し合う面（３４、３６）を持つ。【選択図】  図１
2010535567.tif 000002
【特許請求の範囲】
【請求項１】
使い捨てパンツ状吸収性衛生物品（５２）用の弾性サイドパネル付き閉鎖部（１０）であって、前記閉鎖部（１０）は、少なくとも部分的に弾性材料（１６）から形成される長尺状部材（１２）を横断方向に折り曲げて、中央横断面（２６）に対して対称となる２つの部分（２２、２４）を形成することによって得られており、前記部分（２２、２４）はそれぞれ、一の吸収性衛生物品（５２）の一のサイドパネル（７６）を形成し得るような閉鎖部（１０）は、
前記中央横断面（２６）を超えて連続して延伸する一の第１の分割部分（２８）と、
前記中央横断面（２６）から遠位に位置している第１の折り曲げ部分（３２）で、前記第１の分割部分（２８）の互いに対向し合う端部に接続している２つの第２の分割部分（３０）と、
前記中央横断面（２６）に対して近位に位置しているが離間している第２の折り曲げ部分（４２）で、前記第２の分割部分（３０）の端部に接続している２つの第３の分割部分（４０）と、
前記中央横断面（２６）から遠位な位置で、前記２つの第３の分割部分（４０）の端部に接続されている２つの第４の分割部分（４４）と、
前記中央横断面（２６）に対して近位に位置しているが離間している第３の折り曲げ部分（４８）で、前記第４の分割部分（４４）の端部に接続している２つの第５の分割部分（４６）と
を備え、
前記第１の分割部分（２８）と前記２つの第２の分割部分（３０）は、互いに永久的に固定された対向し合う面（３４、３６）を持つ
閉鎖部。
【請求項２】
前記弾性材料（１６）は、接着層が塗布される予定の部分（２８、３０、４６）に対応して設けられていない
請求項１に記載の閉鎖部。
【請求項３】
前記第３の分割部分（４０）および前記第４の分割部分（４４）は、弾性材料から形成されている
請求項１に記載の閉鎖部。
【請求項４】
前記第１の分割部分（２８）、前記第２の分割部分（３０）、および前記第５の分割部分（４６）は、非弾性材料から形成されている
請求項１または請求項３に記載の閉鎖部。
【請求項５】
前記第３の分割部分（４０）はそれぞれ、第４の折り曲げ部分（５０）によって、対応する一の前記第４の分割部分（４４）に接続されている
請求項１から請求項４のいずれか一項に記載の閉鎖部。
【請求項６】
前記第３の分割部分（４０）はそれぞれ、機械的溶接、熱溶接、または超音波溶接によって、対応する一の前記第４の分割部分（４４）に接続されている
請求項１から請求項４のいずれか一項に記載の閉鎖部。
【請求項７】
前記第４の折り曲げ部分（５０）には、任意で分断線（７８）が設けられている
請求項５に記載の閉鎖部。
【請求項８】
前記第３の分割部分（４０）はそれぞれ、マイクロフック留め具（８０）によって、前記対応する第４の分割部分（４４）に接続されている
請求項１から請求項４のいずれか一項に記載の閉鎖部。
【請求項９】
前記第３の分割部分（４０）はそれぞれ、繰り返し開け閉め可能な接着剤層（８２）によって、前記対応する第４の分割部分（４４）に接続されている
請求項１から請求項４のいずれか一項に記載の閉鎖部。
【請求項１０】
前記第５の分割部分（４６）は、マイクロフック留め具（８４）に固定されている
請求項１から請求項４のいずれか一項に記載の閉鎖部。
【請求項１１】
前記第１の分割部分（２８）は、一のマイクロフック留め具に固定されている
請求項１から請求項４のいずれか一項に記載の閉鎖部。
【請求項１２】
吸収構造と２つの弾性サイドパネル（７６）とを備える使い捨てパンツ状吸収性衛生物品であって、
前記弾性サイドパネル（７６）はそれぞれ、請求項１から請求項１１のうち１以上の請求項に記載の閉鎖部（１０）を２つに分割したうちの一方（２２、２４）によって形成されている
使い捨て可能なパンツ状の吸収性衛生物品。
【請求項１３】
使い捨てパンツ状吸収性衛生物品を製造する方法であって、
対向する第１および第２の長手周縁部（６６、６８）を有する、中間製品（５４）が長手方向に鎖状に連続している構造を形成する工程と、
前記鎖状に連続している構造の前記第１の長手周縁部（６６）に、請求項１から請求項１１のうち１以上の請求項に記載されている閉鎖部（１０）を複数、長手方向に互いから離間するように、且つ、隣り合う中間製品（５４）同士の間の境界線（７０）に各閉鎖部（１０）の前記中央横断面（２６）が位置するように、固定する工程と、
前記対向する第１および第２の長手周縁部（６６、６８）が重なり合うように前記鎖状に連続している構造を折り曲げて、前記第２の長手周縁部（６８）を前記閉鎖部（１０）に固定する工程と、
前記閉鎖部（１０）それぞれの２つの対称的な部分（２２、２４）が２つの連続する物品（５２）のサイドパネル（７６）を形成するように、前記鎖状に連続している構造および前記閉鎖部（１０）を、前記境界線（７０）に沿って、切断する工程と
を備える方法。
【請求項１４】
前記閉鎖部（１０）はそれぞれ、溶接、接着層（７２）、および、マイクロフック留め具の中から選択されるシステムによって、前記鎖状に連続している構造の前記第１の長手周縁部（６６）に固定される
請求項１３に記載の方法。
【請求項１５】
前記鎖状に連続している構造の前記第２の長手周縁部（６８）は、溶接、接着層（７４）、および、マイクロフック留め具（８４）の中から選択されるシステムによって、前記閉鎖部（１０）のそれぞれに固定される
請求項１３に記載の方法。
【発明の詳細な説明】
【技術分野】
【０００１】
本発明は、吸収性衛生物品に関する。パンツ状の吸収性衛生物品での使用可能性に特に注目して開発された。この種の吸収性衛生物品の典型的な例としては、いわゆるトレーニングパンツがある。
【背景技術】
【０００２】
米国特許出願公開第２００２／０１１１５９６号明細書（フレッチャー（Ｆｌｅｔｃｈｅｒ）他）には、繰り返し開け閉めが可能な取り外し可能サイドパネルを備えるパンツ状吸収性衣料品が記載されている。このような構成を持つ吸収性衣料品は、表側または裏側の左右両側において開け閉めが可能である。取り外し可能サイドパネルは、衣料品の使い捨て吸収部において再利用可能で、その一部または全体が弾性材料から形成されている。各サイドパネルは、１つの長尺状部材を折り曲げて４つの平行な分割部分を形成し、中の２つの分割部分は折り目で互いに結合され、中の２つの分割部分はそれぞれ、別の折り目で外側の分割部分につながっている。この２つの外側の分割部分はそれぞれ、マイクロフック留め具に固定されている。
【０００３】
この公知の解決方法によると、各サイドパネルは独立した構成要素である。このため、この種の衣料品を生産する自動機械は、各衣料品に２つのサイドパネルを付加しなければならない。生産ラインでは、互いに反対となる方向から交互にサイドパネルを付加する必要がある。このような作業のため、サイドパネルを付加するデバイスは非常に複雑になってしまう。
【０００４】
上記特許文献と出願人が同一である欧州特許第１５２３９６８号明細書には、２つの対称的な部分から形成される閉鎖部が開示されている。当該閉鎖部は、複数の中間製品が鎖状に連続しているところに付加された後、対称面において中間製品と共に切り分けられて、２つの隣接する物品に対する２つの側面閉鎖部が形成される。この解決方法によると、物品１つに対して１つの閉鎖部を付加することができるようになり、閉鎖部はすべて同じ配向で付加される。しかし、欧州特許第１５２３９６８号明細書には、吸収性物品の側部を形成する弾性サイドパネルを容易に供給する方法は教示されていない。
【発明の概要】
【発明が解決しようとする課題】
【０００５】
本発明は、先行技術の問題点を解決することを目的とする。
【課題を解決するための手段】
【０００６】
本発明によると、上記の目的は、請求項１に記載されている特徴を持つ弾性サイドパネル付き閉鎖部および請求項１３に記載されている特徴を持つ衛生物品製造方法によって達成される。請求の範囲は、本発明に関連して本明細書に記載されている技術的教示内容の不可欠な部分を成す。
【０００７】
以下に記載する詳細な説明を読み進めていくと容易に明らかになることであるが、本発明によれば、弾性の側部を有する良好な物品を、弾性材料を最大限効率良く利用して、提供することができるようになる。本発明はさらに、弾性の側部を有するパンツ状衛生物品を製造する自動生産ラインを大幅に簡略化することができるようになる。本発明によれば、１つの物品につき付加する閉鎖部は１つで済み、全ての閉鎖部を同一の配向で付加することができるようになる。米国特許出願公開第２００２／０１１１５９６号明細書に記載されている解決方法と比較すると、本発明によれば、サイドパネルを配向を交互に変更して付加する必要がなくなる。１つの閉鎖部はそれぞれ、中間製品が鎖状に連続しているものを横断方向に切断することによって、２つのサイドパネルを形成する。
【０００８】
本発明の好ましい特徴によると、引き裂くように開けることが可能な、または、繰り返し開け閉め可能な、パンツ状吸収性衛生物品を製造することが可能となる。
【図面の簡単な説明】
【０００９】
本発明を以下で、添付図面を参照しつつ詳細に説明する。添付図面は、本発明を限定するものではなく、純粋に例示を目的として提供される。添付図面は以下の通りである。
【００１０】
【図１】本明細書に記載する解決方法に係る、弾性サイドパネル付き閉鎖部の断面を示す図である。
【００１１】
【図２】図１に示す閉鎖部を製造するべく用いられる長尺状部材の断面を示す図である。
【００１２】
【図３】本明細書に記載する解決方法に係る閉鎖部を用いて、吸収性衛生物品を製造する方法を示す概略斜視図である。
【００１３】
【図４】図３のラインＩＶ−ＩＶに沿った拡大断面図である。
【００１４】
【図５】図中の矢印Ｖによって示される衛生物品の使用状態を示す概略斜視図である。
【００１５】
【図６】図５のラインＶＩ−ＶＩに沿った拡大断面図である。
【００１６】
【図７】図１において矢印ＶＩＩで示された部分の一実施形態を示す拡大断面図である。
【図８】図１において矢印ＶＩＩで示された部分の一実施形態を示す拡大断面図である。
【図９】図１において矢印ＶＩＩで示された部分の一実施形態を示す拡大断面図である。
【００１７】
【図１０】図４に対応する断面図で、本明細書に記載されている解決方法の変形例を示す図である。
【発明を実施するための形態】
【００１８】
図１を参照して説明すると、参照番号１０はパンツ状吸収性衛生物品用の弾性サイドパネル付き閉鎖部を示す。閉鎖部１０は、図２に参照番号１２で示す長尺状部材から形成される。長尺状部材１２は、非弾性材料部分１４と弾性材料部分１６とが交互に設けられている。
【００１９】
長尺状部分１２では、２つの不織布層１８が互いに結合されているのが好ましい。この２つの不織布層１８の間には、弾性材料部分１６において、市販されているタイプの、事前には張力が印加されていない弾性膜２０が設けられており、この弾性膜２０は不織布層１８を機械的に活性化した後で弾性を得る。これに代えて、弾性材料部分１６は、事前に張力が印加されている弾性糸２０（例えば、デュポン（Ｄｕｐｏｎｔ）社がＬｙｃｒａ（登録商標）として市販している材料から成るもの）または弾性膜２０を用いて形成するとしてもよい。上述した弾性化動作は、公知の方法に従って実行される。
【００２０】
長手方向に力が加えられていない場合、弾性材料部分１６において、不織布層１８は図２に示すような波状の形状を取り得る。長手方向に力が与えられると、弾性材料部分１６は延伸して、不織布層１８は伸長する。
【００２１】
図１を参照して説明すると、本明細書に記載する解決方法に係る弾性サイドパネル付き閉鎖部１０は、長尺状部材１２の長手方向に対して定義される横断方向に、長尺状部材１２を複数回１８０度折り曲げることによって得られる。このように折り曲げると、閉鎖部１０は図１に示すような構成を取る。
【００２２】
閉鎖部１０は、中央横断面２６に対して対称となる２つの部分２２、２４を備える。以下の説明で明らかになるが、これら２つの部分２２、２４はそれぞれ、中央横断面２６で閉鎖部１０を切断すると１つの衛生物品の１つのサイドパネルを形成予定の部分である。
【００２３】
閉鎖部１０は、中央横断面２６を超えて連続して伸びている、非弾性材料から成る第１の分割部分２８を備える。非弾性材料から成る２つの第２の分割部分３０は、第１の分割部分２８の互いに対向する各端部と、中央横断面２６から遠位に位置している第１の折り曲げ部分３２で、接続している。第１の分割部分２８および２つの第２の分割部分３０は、例えば接着剤層３８または溶接で互いに永久的に固定される、対向し合う面３４、３６を持つ。
【００２４】
閉鎖部１０はさらに、弾性材料から成る２つの第３の分割部分４０を備える。２つの第３の分割部分４０は、中央横断面２６に近位に位置している第２の折り曲げ部分４２で第２の分割部分３０の端部とそれぞれ接続している。弾性材料から成る２つの第４の分割部分４４は、中央横断面２６から遠位に位置している、２つの第３の分割部分４０の端部に接続している。非弾性材料から成る２つの第５の分割部分４６は、中央横断面２６に近位に位置している、第３の折り曲げ部分４８で、第４の分割部分４４の端部に接続している。
【００２５】
第２の折り曲げ部分４２および第３の折り曲げ部分４８は、第１の分割部分２８の中央領域において中央横断面２６の周囲に空隙を残すように、中央横断面２６から離間している。第３の分割部分４０および第４の分割部分４４は、第２の分割部分３０および第５の分割部分４６の横手方向に外側の端部を越えて、横方向に外向きに延伸している。第２の分割部分３０および第５の分割部分４６は、長さが略同一であることが好ましい。図１に示す実施形態によると、第３の分割部分４０は、第４の折り曲げ部分５０で、第４の分割部分４４に接続している。
【００２６】
図３は、パンツ状の吸収性衛生物品を製造する方法を示す概略図である。その物品の１つを、図３では、参照番号５２で示している。物品５２は、矢印５６で示される長手方向に進められる中間製品５４が鎖状に連続したものから形成される。中間製品５４が鎖状につながったものは、公知の技術によって形成される。中間製品が鎖状につながったものは通常、上側シート５８と下側シート６０との間に吸収層が設けられているサンドイッチ構造を持つ。中間製品５４が鎖状につながったものには、物品５２の足用開口部となる開口部６２が、長手方向に互いに離間して設けられている。図３は、いわゆる幅方向型と呼ばれる物品５２の製造の流れを示している。このタイプの機械では、中間製品５４が長手方向に連続して鎖状につながったものが、矢印６４で概略的に図示されているように折り曲げられて、この折り曲げの結果、中間製品５４が鎖状につながったものの２つの対向する長手周縁部６６、６８を重ね合わせる。
【００２７】
中間製品５４が鎖状に連続してつながったものを矢印６４で示される方向に折り曲げる前に、閉鎖部１０が、長手方向に互いに離間するように中間製品５４に付加される。閉鎖部１０を付加する際には、各閉鎖部１０の中央横断面２６が、隣り合う中間製品５４同士の間の横断境界線７０に略一致するように付加する。図１０に示す部材が、２つの長手周縁部６６、６８のうち一方（図３に示す例では、長手周縁部６６）において、上側シート５８上に付加される。１つの閉鎖部１０を１つの境界線７０に付加して、閉鎖部１０はすべて同一配向で付加される。閉鎖部１０は、接着剤、溶接、または、マイクロフック留め具によって、中間製品５４が鎖状につながったものに付加される。図３に示す例では、各閉鎖部１０の第１の分割部分２８が、長手周縁部６６で上側シート５８に接着剤で付加される。矢印６４で示した方向に折り曲げることによって、反対側の周縁部６８に隣接する上側シート５８の一部分が、各閉鎖部１０の第５の分割部分４６に接着剤で接着される。
【００２８】
閉鎖部１０はまた、図３に示した例とは上下逆方向で付加され得る。つまり、第５の分割部分４６が周縁部６６で上側シート５８に接着剤で接着され、矢印６４で示す方向に中間製品５４が鎖状につながったものを折り曲げると、各閉鎖部１０の第１の分割部分２８に反対側の周縁部６８が接着剤で接着される。
【００２９】
中間製品５４が鎖状につながったものを矢印６４に従って折り曲げた後、隣り合う中間製品５４同士の間の接合領域は、図４に示す形状を持つ。２つの隣り合う中間製品５４の間の境界線７０は実質的に、各閉鎖部１０の中央横断面２６上に位置している。各閉鎖部１０の２つの部分２２、２４は、境界線７０に対して互いに反対側に位置している。閉鎖部１０の第１の分割部分２８は、接着剤層７２によって中間製品５４の正面側または背面側の上側シート５８に固定されており、閉鎖部１０の第５の分割部分４６は、中間製品５４の反対側（背面側または正面側）の上側シート５８に接着剤層７４で固定されている。
【００３０】
この場合、横断方向の切断は、隣り合う中間製品５４同士の間の境界線７０に沿って行われる。この切断処理によって、裏面側の上側シート５８および下側シート６０、閉鎖部１０の第１の分割部分２８、正面側の上側シート５８および下側シート６０が切断される。切断の結果、最終製品である物品５２が得られ、そのうち１つを図３の右側に示す。
【００３１】
図５は、上述した方法で形成される吸収性衛生物品の使用状態を示す図である。物品５２は、弾性材料から成る２つのサイドパネル７６を備える。サイドパネル７６は、閉鎖部１０の部分２２、２４の第３の分割部分４０および第４の分割部分４４を有する。特に図６から分かるように、接着剤層３８、７４に対応する部分では、弾性が得られていない。このため、接合領域の厚みが低減されると共に接着剤による接続が改善され得る。弾性を持つ領域は接着剤がない領域でのみ伸長しているので、弾性を持つ部分を十分に利用することができる。
【００３２】
上述した実施形態によると、弾性を持つ側部を備えるパンツ状の物品５２が得られる。図７に示す本発明の第１の変形例によると、各閉鎖部１０では、第４の折り曲げ部分５０に分断線７８を設けることが好ましいとしてよい。このような構成とすると、各サイドパネル５６の中央位置には、物品５２を取り外すための切り取り線が設けられる。これに代えて、２つの分割部分４０、４４は、機械的溶接、熱溶接、超音波溶接等で互いに接続されるとしてもよい。
【００３３】
本明細書に記載されている解決方法のさらに有利な特徴によると、この物品は繰り返し開け閉めできる。図８に示すように、物品５２を繰り返し開け閉めするべく、各閉鎖部１０の第３の分割部分４０と第４の分割部分４４との間の結合領域に、マイクロフック留め具８０を、設けるとしてよい。マイクロフック留め具８０は、各サイドパネル７６の中央に設けられ、着用されている物品５２を繰り返し開けて、チェックして、閉めることが可能となる。
【００３４】
マイクロフック留め具８０を利用するほかの例を挙げると、図９に示すように、「感圧」接着剤層８２を利用して、各閉鎖部１０の第３の分割部分４０および第４の分割部分４４の端部を互いに結合する。接着剤層８２によって、マイクロフック留め具と同様の方法で、各サイドパネル７６を繰り返し開け閉めすることができる。
【００３５】
繰り返し開け閉めできる物品を得るさらに別の方法として、図１０に示す解決方法が利用できる。この場合、各閉鎖部１０の第５の分割部分４６は、マイクロフック留め具８４によって、対応する上側シート５８に結合されている。各マイクロフック留め具８４は、分割部分４６および上側シート５８に、接着剤層７４、８５によって固定されている。マイクロフック留め具８４は、物品の正面側または背面側に設けられ得る。マイクロフック留め具８４によってさらに、物品５２のウェスト周りのサイズの調整が可能となる。これに代えて、マイクロフック留め具８４は、第１の分割部分２８に設けられるとしてもよい。さらに別の例として、第１の分割部分２８および／または第５の分割部分４６は、開け閉めを可能とするタイプ（感圧型）の接着層によって、上側シート５８に固定され得る。
【００３６】
上述した説明では、幅方向型の物品を製造する方法を説明した。当該方法によると、物品の長手方向は、中間製品が鎖状につながったものが進む方向を横断する方向となる。本明細書に記載した解決方法は、「機械方向」型の製造方法にも利用可能である。当該方法によると、中間製品は、長手方向と進む方向とが平行になるように、配置される。
【図１】
2010535567.tif 000003
【図２】
2010535567.tif 000004
【図３】
2010535567.tif 000005
【図４】
2010535567.tif 000006
【図５】
2010535567.tif 000007
【図６】
2010535567.tif 000008
【図７】
2010535567.tif 000009
【図８】
2010535567.tif 000010
【図９】
2010535567.tif 000011
【図１０】
2010535567.tif 000012
【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
使い捨てパンツ状吸収性衛生物品（５２）用の弾性サイドパネル付き閉鎖部（１０）であって、前記閉鎖部（１０）は、少なくとも部分的に弾性材料（１６）から形成される長尺状部材（１２）を横断方向に折り曲げて、中央横断面（２６）に対して対称となる２つの部分（２２、２４）を形成することによって得られており、前記部分（２２、２４）はそれぞれ、一の吸収性衛生物品（５２）の一のサイドパネル（７６）を形成し得るような閉鎖部（１０）は、
前記中央横断面（２６）を超えて連続して延伸する弾性材料から形成された一の第１の分割部分（２８）と、
前記中央横断面（２６）から遠位に位置している第１の折り曲げ部分（３２）で、前記第１の分割部分（２８）の互いに対向し合う端部に接続している弾性材料から形成された２つの第２の分割部分（３０）と、
前記中央横断面（２６）に対して近位に位置しているが離間している第２の折り曲げ部分（４２）で、前記第２の分割部分（３０）の端部に接続している弾性材料から形成された２つの第３の分割部分（４０）と、
前記中央横断面（２６）から遠位な位置で、前記２つの第３の分割部分（４０）の端部に接続されている弾性材料から形成された２つの第４の分割部分（４４）と、
前記中央横断面（２６）に対して近位に位置しているが離間している第３の折り曲げ部分（４８）で、前記第４の分割部分（４４）の端部に接続している弾性材料から形成された２つの第５の分割部分（４６）と
を備え、
前記第１の分割部分（２８）と前記２つの第２の分割部分（３０）は、取り外せないように互いに固定された対向し合う面（３４、３６）を持つ閉鎖部。
【請求項２】
前記第３の分割部分（４０）はそれぞれ、第４の折り曲げ部分（５０）によって、一の対応する第４の分割部分（４４）に接続されている請求項１に記載の閉鎖部。
【請求項３】
前記第３の分割部分（４０）はそれぞれ、機械的溶接、熱溶接、または超音波溶接によって、対応する一の前記第４の分割部分（４４）に接続されている請求項１に記載の閉鎖部。
【請求項４】
前記第４の折り曲げ部分（５０）には、任意で分断線（７８）が設けられている請求項２に記載の閉鎖部。
【請求項５】
前記第３の分割部分（４０）はそれぞれ、マイクロフック留め具（８０）によって、対応する前記第４の分割部分（４４）に接続されている請求項１に記載の閉鎖部。
【請求項６】
前記第３の分割部分（４０）はそれぞれ、繰り返し開け閉め可能な接着剤層（８２）によって、対応する前記第４の分割部分（４４）に接続されている請求項１に記載の閉鎖部。
【請求項７】
前記第５の分割部分（４６）は、マイクロフック留め具（８４）に固定されている請求項１から6の何れか１項に記載の閉鎖部。
【請求項８】
前記第１の分割部分（２８）は、一のマイクロフック留め具に固定されている請求項１から７の何れか１項に記載の閉鎖部。
【請求項９】
吸収構造と２つの弾性サイドパネル（７６）とを備える使い捨てパンツ状吸収性衛生物品であって、
前記弾性サイドパネル（７６）はそれぞれ、請求項１から請求項８の何れか１項に記載の閉鎖部（１０）を２つに分割したうちの一方（２２、２４）によって形成されている使い捨て可能なパンツ状の吸収性衛生物品。
【請求項１０】
使い捨てパンツ状吸収性衛生物品を製造する方法であって、
対向する第１および第２の長手周縁部（６６、６８）を有する、中間製品（５４）が長手方向に鎖状に連続している構造を形成する工程と、
前記鎖状に連続している構造の前記第１の長手周縁部（６６）に、請求項１から請求項８の何れか１項に記載されている閉鎖部（１０）を複数、長手方向に互いから離間するように、且つ、隣り合う中間製品（５４）同士の間の境界線（７０）に各閉鎖部（１０）の前記中央横断面（２６）が位置するように、固定する工程と、
前記対向する第１および第２の長手周縁部（６６、６８）が重なり合うように前記鎖状に連続している構造を折り曲げて、前記第２の長手周縁部（６８）を前記閉鎖部（１０）に固定する工程と、
前記閉鎖部（１０）それぞれの２つの対称的な部分（２２、２４）が２つの連続する物品（５２）のサイドパネル（７６）を形成するように、前記鎖状に連続している構造および前記閉鎖部（１０）を、前記境界線（７０）に沿って、切断する工程と
を備える方法。
【請求項１１】
前記閉鎖部（１０）はそれぞれ、溶接、接着層（７２）、および、マイクロフック留め具の中から選択されるシステムによって、前記鎖状に連続している構造の前記第１の長手周縁部（６６）に固定される請求項１０に記載の方法。
【請求項１２】
前記鎖状に連続している構造の前記第２の長手周縁部（６８）は、溶接、接着層（７４）、および、マイクロフック留め具（８４）の中から選択されるシステムによって、前記閉鎖部（１０）のそれぞれに固定される請求項１０に記載の方法。
【国際調査報告】
2010535567.tif 000013
2010535567.tif 000014
2010535567.tif 000015